(57)【要約】【課題】写真プリントの取出口を、例えば左右方向において入換えるときの作業性を改善し、この作業の際に顧客に煩わしい思いをさせることのない写真プリント提供装置を提供する。【解決手段】被写体２を撮影するカメラ６と、撮影映像と合成用画像とを合成する合成手段２１と、合成画像を写真プリントとして出力する筐体３３内に配置されたプリンタ９と、写真プリントを使用者２に提供するとともに上記筐体３３に開口している取出口１９とを備え、上記プリンタ９はスライド支持手段４６に支持され、上記スライド支持手段４６の進退方向は上記取出口１９の開口方向と異なる方向に設定されている。したがって、筐体３３側の取出口１９とは何等干渉性のない箇所にプリンタ９が引出され、取出口１９の左右方向等の変換作業が簡素化される。【選択図】図１
2004272063.tif 000002
【特許請求の範囲】
【請求項１】
撮影領域内の使用者を含む被写体を撮影するカメラと、上記カメラによる撮影映像を写真プリントとして出力する筐体内に配置されたプリンタと、上記プリンタから出力された写真プリントを使用者に提供するとともに上記筐体に開口している取出口とを備えた写真プリント提供装置であって、上記プリンタはスライド支持手段に支持され、上記スライド支持手段の進退方向は上記取出口の開口方向と異なる方向に設定されていることを特徴とする写真プリント提供装置。
【請求項２】
上記スライド支持手段は、上記筐体内に取付けたガイドレールにより進退可能な状態で支持されているとともに、上記プリンタの略全体が筐体外に引出せる進退長さで進退するスライド台である請求項１記載の写真プリント提供装置。
【請求項３】
上記スライド台の進退長さは、スライド台の進退方向にほぼ直交するスライド台の幅寸法よりも短く設定されている請求項２記載の写真プリント提供装置。
【請求項４】
上記筐体に、上記スライド台を引出すことができるとともに開閉手段が取付けられた開口部が設けられ、上記開閉手段は、枢軸を中心にして回動する観音開き構造の扉である請求項２または３記載の写真プリント提供装置。
【請求項５】
上記スライド台にプリンタの載置位置の位置決め機構が設けられ、上記位置決め機構の配置箇所は、プリンタをスライド台の一端側に位置決めする箇所と、他端側に位置決めする箇所の２箇所である請求項２〜４のいずれか一項に記載の写真プリント提供装置。
【請求項６】
上記スライド台の下側に写真プリント提供装置を動作させる機器類が配置され、上記機器類とプリンタとの間に上記機器類とプリンタとを接続する結線類の移動許容空間が設けられている請求項２〜５のいずれか一項に記載の写真プリント提供装置。
【請求項７】
上記スライド台を支持するガイドレールは、筐体に結合された支持板に取付けられている請求項２〜６のいずれか一項に記載の写真プリント提供装置。
【請求項８】
上記機器類とプリンタとを接続する結線類を通過させる開口部が上記支持板に設けられている請求項７記載の写真プリント提供装置。
【請求項９】
上記取出口が設けられてプリンタの送出口と対向して配置される写真プリントのガイドユニットを備え、上記スライド台の一端側と他端側に位置する筐体の壁部材に上記ガイドユニットを取付け可能な窓穴が設けられている請求項２〜８のいずれか一項に記載の写真プリント提供装置。
【請求項１０】
上記支持板に、上記ガイドユニットを収容する凹欠部が形成されている請求項９記載の写真プリント提供装置。
【請求項１１】
上記ガイドレールに、ガイドレールの引出し長さを規制するストッパ機構が設けられている請求項２〜１０のいずれか一項に記載の写真プリント提供装置。
【請求項１２】
上記ガイドレールに、所定長さの引出し状態から格納方向に後退させる動作に所定の節度抵抗を付与するディテント機構が設けられている請求項２〜１１のいずれか一項に記載の写真プリント提供装置。
【請求項１３】
少なくともプリンタが収容された写真印刷装置であって、上記プリンタはスライド支持手段に支持され、上記スライド支持手段の進退方向は上記プリンタの取出口の開口方向と異なる方向に設定されていることを特徴とする写真印刷装置。
【請求項１４】
上記スライド支持手段は、写真印刷装置内に取付けたガイドレールにより進退可能な状態で支持されているとともに、上記プリンタの略全体が筐体外に引出せる進退長さで進退するスライド台である請求項１３記載の写真印刷装置。
【発明の詳細な説明】
【０００１】
【発明の属する技術分野】
本発明は、ゲームセンター等に設置され、硬貨等の投入により使用者を撮影し、撮影画像をプリントして販売する写真プリント提供装置および画像データ等を入力して動作させる写真印刷装置に関するものである。
【０００２】
【従来の技術】
近年、ゲームセンター等において、写真を撮影してシールプリント等にする写真プリント提供装置が数多く設置されている。このような写真プリント提供装置は、一般に、利用者である被写体をカメラで撮影し、その撮影画像に対して文字等の手描き画像やスタンプ画像等の編集画像を描き込む落書きプレイを行なって合成し、その合成画像を写真プリントとして印刷出力するものである。このような写真プリント提供装置として、出願人が把握している先行技術として、下記の特許文献１に示す装置がある。
【０００３】
【特許文献１】
特開２００２−３７０４３３号公報
【０００４】
【発明が解決しようとする課題】
上記従来の写真プリント提供装置では、上記特許文献１に開示されているように、カメラによる撮影画像とフレーム画像等とを合成してその合成画像をプリンタで印刷出力するものである。上記プリンタは筐体内に収容されており、このプリンタからの写真プリントの取出口が筐体の側部に配置されている。そして、このプリンタの保守整備を行なうときには、筐体に形成された開口部の蓋部材を開けて開口部からプリンタの載置部材（例えば、スライドレールやスライド台等）を引出して、種々な整備作業等が行なわれている。
【０００５】
ところが、上記の開示技術においては、筐体に開口している上記取出口の左右位置を入れかえる場合には、上記載置部材を例えば右側の上記開口部から引出してプリンタを一旦載置部材から外し、その後、載置部材を左側の開口部の方へ移動させて再び載置部材上にプリンタを取付け、最終的には、使用者は右側にあった取出口が左側に変換されて、そこから写真プリントを受領できるようにしている。
【０００６】
一方、このようなタイプの取出口では、用紙交換作業の際にシールが出てくるのを待っている顧客がいると、顧客は別の場所に退避する必要があり、顧客にとって煩わしいこととなる。
【０００７】
本発明は、このような事情に鑑みなされたもので、写真プリントの取出口を例えば左右方向において入換えるようなときの作業性を改善し、この作業の際に顧客に煩わしい思いをさせることのない写真プリント提供装置および写真印刷装置の提供を目的とする。
【０００８】
【課題を解決するための手段】
上記の目的を達成するため、本発明の写真プリント提供装置は、撮影領域内の使用者を含む被写体を撮影するカメラと、上記カメラによる撮影映像を写真プリントとして出力する筐体内に配置されたプリンタと、上記プリンタから出力された写真プリントを使用者に提供するとともに上記筐体に開口している取出口とを備えた写真プリント提供装置であって、上記プリンタはスライド支持手段に支持され、上記スライド支持手段の進退方向は上記取出口の開口方向と異なる方向に設定されていることを要旨とする。
【０００９】
すなわち、上記プリンタはスライド支持手段に支持され、上記スライド支持手段の進退方向は上記取出口の開口方向と異なる方向に設定されている。このため、上記プリンタは、スライド支持手段によって、上記取出口の開口方向と異なった方向に引出されるので、筐体側の取出口とは何等干渉性のない箇所にプリンタが引出される。これによって、筐体に開口している写真プリントの取出口を例えば筐体の左右方向において入換えるようなときには、引出されたプリンタの向きをその場で左右に逆転させたり、この逆転と同時にプリンタを筐体の取出口の方へ寄せ付けたりすることが１回の作業動作で完了する。このような簡素化された作業により、プリンタ自体に開口している取出口の向きを、例えば左右方向において入換えて筐体側の取出口に対応させ、筐体の所要の側に取出口を選定することができるのである。
【００１０】
上記のような取出口の入換えは、遊戯施設等の広さや顧客の移動状態等の事情に応じて行なわれるのであるが、入場者が大勢いるようなときには、上記のような作業により少ない作業スペースで迅速に作業が行なえて、顧客への迷惑も最小限にとどめることができる。また、取出口はプリンタが引出される方向と異なる方向にあるので、用紙交換等の際に取出口の前で写真プリントが出てくるのを待っている使用者に、煩わしい退避をしてもらわなくてもよく、使用者の不快感も軽減される。
【００１１】
本発明の写真プリント提供装置において、上記スライド支持手段は、上記筐体内に取付けたガイドレールにより進退可能な状態で支持されているとともに、上記プリンタの略全体が筐体外に引出せる進退長さで進退するスライド台である場合には、上記ガイドレールによってスライド台が簡単に引出せるとともに、プリンタの略全体が筐体外に引出されて露出した状態になっているので、プリンタをスライド台から持ち上げて左右の向きを変換するような作業が、筐体と干渉することなく容易に行なえる。さらに、プリンタの外回り全体のどの箇所に対しても容易に接近して保守整備等が行なえるので、プリンタ用紙の交換等がきわめて簡単に実施できる。また、上記プリンタをスライド台の上に安定した状態で載置することができ、プリンタを筐体から引出してプリンタ用紙の交換やプリンタの向きを変換するようなときの作業が行ないやすくなる。さらに、上方から用紙交換を行なうタイプのプリンタでも作業がスムーズに行なえる。
【００１２】
本発明の写真プリント提供装置において、上記スライド台の進退長さが、スライド台の進退方向にほぼ直交するスライド台の幅寸法よりも短く設定されている場合には、引出されたスライド台の間口が広い状態であるから、プリンタの左右端部を両手でもって簡単に着脱したり、プリンタの送出口の位置を反転させることが容易に行なえる。また、プリンタをスライド台の左右いずれかの方に寄せ付ける場合も簡単な作業で行なうことができる。したがって、筐体の取出口の向きを左右方向等において反転させるような場合に、簡単な入替え作業で取出口の左右選択が容易に行なえ、写真プリント提供装置の設置場所に最適な取出口の位置選定ができる。さらに、スライド台を引出したときの筐体外への突出長さが可及的に短くなるので、入場者の多い遊戯施設等においては近くにいる顧客に迷惑をかけることなく、種々な保守整備作業が良好な作業性のもとで行なえる。
【００１３】
本発明の写真プリント提供装置において、上記筐体に、上記スライド台を引出すことができるとともに開閉手段が取付けられた開口部が設けられ、上記開閉手段は、枢軸を中心にして回動する観音開き構造の扉である場合には、上記開口部を観音開き式の上記扉で開けて開口部からスライド台とともにプリンタを引出すことができる。そして、観音開きにより上記両扉の開き出し寸法が短くなるので、写真プリント提供装置が狭い店舗内に多数設置されていたり、入場者の多い遊戯施設等のなかであっても、周辺の人々にかける迷惑を最小化することができる。しかも上記開閉手段が上記取出口とは異なった方向に開かれるので、取出口の近くにいる使用者に何等影響することがない。
【００１４】
本発明の写真プリント提供装置において、上記スライド台にプリンタの載置位置の位置決め機構が設けられ、上記位置決め機構の配置箇所は、プリンタをスライド台の一端側に位置決めする箇所と、他端側に位置決めする箇所の２箇所である場合には、スライド台上に載置されたプリンタの位置が容易に狂ったりすることがなく、プリンタの取出口が常に正しい位置に配置されて、筐体側の取出口との相対位置が正確に維持される。また、スライド台を引出して急に止めたときにプリンタが慣性で移動しそうになっても、プリンタは上記位置決め機構によって拘束されているので、位置ずれを起こすことがない。同時に、上記２箇所に位置決め機構が配置されてるので、小型のプリンタをスライド台のいずれかの側に寄せ付けて配置するときに、両２箇所における位置決めが確実になされる。特に、写真プリントの取出口を筐体の左右において変換するような場合には、筐体に開口させた取出口とプリンタの取出口とを接近させた状態で両者の相対位置が正確に設定できる。
【００１５】
本発明の写真プリント提供装置において、上記スライド台の下側に写真プリント提供装置を動作させる機器類が配置され、上記機器類とプリンタとの間に上記機器類とプリンタとを接続する結線類の移動許容空間が設けられている場合には、プリンタを進退させて出し入れするのに伴って、引出されたり押し戻されたりする、いわゆる伸縮する結線類が、上記移動許容空間において自由に移動することができるので、結線類に無理な引っ張りや折り曲げ等が生じないので、結線類を傷めることがない。
【００１６】
本発明の写真プリント提供装置において、上記スライド台を支持するガイドレールが、筐体に結合された支持板に取付けられている場合には、筐体に結合されることにより静止部材となっている高い剛性の支持板にガイドレールが直接取付けられたときは、ガイドレールの取付け強度が高くなり、それによってスライド台が安定した状態で支持される。したがって、プリンタもスライド台に安定した状態で載置される。また、上記支持板とガイドレールとの間に何等かの部材が間接的な状態で介在したときは、上記の直接的な場合と同様にして、安定したプリンタの載置状態がえられる。
【００１７】
本発明の写真プリント提供装置において、上記機器類とプリンタとを接続する結線類を通過させる開口部が上記支持板に設けられている場合には、上述のような支持板による安定したプリンタのスライド台載置が実現するとともに、上記開口部を経て結線類が配線されるので、プリンタを進退させて出し入れするのに伴って、引出されたり押し戻されたりする、いわゆる伸縮する結線類が、上記開口部において自由に移動することができるので、結線類に無理な引っ張りや折り曲げ等が生じないので、結線類を傷めることがない。
【００１８】
本発明の写真プリント提供装置において、上記取出口が設けられてプリンタの送出口と対向して配置される写真プリントのガイドユニットを備え、上記スライド台の一端側と他端側に位置する筐体の壁部材に上記ガイドユニットを取付け可能な窓穴が設けられている場合には、プリンタの送出口が上記スライド台の一端側または他端側のいずれの側に向けられていても、ガイドユニットを上記送出口に一致させて上記窓穴に取付けることにより、使用者が、写真プリントをいずれの側の取出口からでも受領することができる。したがって、プリンタの送出口の向きを左右方向等において反転させ、それに合わせて筐体側すなわちガイドユニットの取出口の左右方向等の位置を自由に選定することができて、写真プリント提供装置の設置場所に最適な取出口の位置選定ができる。
【００１９】
本発明の写真プリント提供装置において、上記支持板に、上記ガイドユニットを収容する凹欠部が形成されている場合には、ガイドレールを支持する支持板が存在していても、プリンタの送出口から筐体側の取出口にいたる写真プリントのガイドユニットが上記凹欠部に収容され、ガイドユニットの配置がコンパクトな状態でまとまる。
【００２０】
本発明の写真プリント提供装置において、上記ガイドレールに、ガイドレールの引出し長さを規制するストッパ機構が設けられている場合には、スライド台の引出し長さを所定長さに規制することが確実に行なえて、適正なプリンタの引出し長さを確保することができる。また、ガイドレールが２重あるいは３重の入れ子式（テレスコピック式）構造となっている場合には、上記のストッパ機能を果たさせることにより、２重あるいは３重構造のガイドレールの重複長さを適正な長さに設定することができて、スライド台の支持に適した支持剛性の高いガイドレールの有効長さを確保することができる。
【００２１】
本発明の写真プリント提供装置において、上記ガイドレールに、所定長さの引出し状態から格納方向に後退させる動作に所定の節度抵抗を付与するディテント機構が設けられている場合には、引出されたプリンタに保守整備等を行なっている際に、格納方向の力がガイドレールに作用しても、上記節度抵抗によりプリンタが容易に移動することがなく、保守整備等の作業が行ないやすくなる。作業終了後は所定の力でプリンタを押し戻すことにより、簡単に筐体内に格納することができる。
【００２２】
上記の目的を達成するため、少なくともプリンタが収容された写真印刷装置であって、上記プリンタはスライド支持手段に支持され、上記スライド支持手段の進退方向は上記プリンタの取出口の開口方向と異なる方向に設定されていることを要旨とする。
【００２３】
上記のような写真印刷装置とすることにより、上記プリンタはスライド支持手段に支持され、上記スライド支持手段の進退方向は上記取出口の開口方向と異なる方向に設定されている。このため、上記プリンタは、スライド支持手段によって、上記取出口の開口方向と異なった方向に引出されるので、筐体側の取出口とは何等干渉性のない箇所にプリンタが引出される。これによって、筐体に開口している写真プリントの取出口を例えば筐体の左右方向において入換えるようなときには、引出されたプリンタの向きをその場で左右に逆転させたり、この逆転と同時にプリンタを筐体の取出口の方へ寄せ付けたりすることが１回の作業動作で完了する。このような簡素化された作業により、プリンタ自体に開口している送出口の向きを、例えば左右方向において入換えて筐体側の取出口に対応させ、筐体の所要の側に取出口を選定することができるのである。
【００２４】
上記のような取出口の入換えは、遊戯施設等の広さや顧客の移動状態等の事情に応じて行なわれるのであるが、入場者が大勢いるようなときには、上記のような作業により少ない作業スペースで迅速に作業が行なえて、顧客への迷惑も最小限にとどめることができる。また、プリンタは取出口とは異なった方向に引出されるので、取出口の前で写真プリントが出てくるのを待っている使用者に、煩わしい退避をしてもらわなくてもよく、使用者の不快感も軽減される。さらに、画像データを入力して写真印刷を行なうような職場等においても、上記遊戯施設等と同様な事情で筐体側の取出口を入換える必要が発生するのであるが、上記のような簡単な作業により取出口の選定ができる。
【００２５】
本発明の写真印刷装置において、上記スライド支持手段は、写真印刷装置内に取付けたガイドレールにより進退可能な状態で支持されているとともに、上記プリンタの略全体が筐体外に引出せる進退長さで進退するスライド台である場合には、上記ガイドレールによってスライド台が簡単に引出せるとともに、プリンタの略全体が筐体外に引出されて露出した状態になっているので、プリンタをスライド台から持ち上げて左右の向きを変換するような作業が、筐体と干渉することなく容易に行なえる。さらに、プリンタの外回り全体のどの箇所に対しても容易に接近して保守整備等が行なえるので、プリンタ用紙の交換等がきわめて簡単に実施できる。また、上記プリンタをスライド台の上に安定した状態で載置することができ、プリンタを筐体から引出てプリンタ用紙の交換やプリンタの向きを変換するようなときの作業が行ないやすくなる。
【００２６】
【発明の実施の形態】
つぎに、本発明の写真プリント提供装置の一実施の形態を詳しく説明する。
【００２７】
図１〜図３は、本発明の写真プリント提供装置の一例を示す図である。図１は筐体１を含む装置の断面図、図２は筐体１の撮影側からみた斜視図、図３は装置全体の斜視図である。
【００２８】
この写真プリント提供装置は、図１に示すように、正面，背面，側面および内部に各種の装置が設けられた筐体１を備え、上記筐体１の正面側（図１の右側）で撮影プレイを行ない、背面側（図３で見えている側）で撮影画像の編集プレイを行ない、筐体１の側面で写真プリントの提供を受けるようになっている。
【００２９】
上記筐体１の正面側には、被写体２のバックとなる領域に、バックスクリーンユニット３が設けられている。上記筐体１とバックスクリーンユニット３は、天井部４Ａと支持枠材４Ｂで連結されており、天井部４Ａにはその出入口となる部分にカーテン５Ａが吊設されている。そして、上記筐体１，バックスクリーンユニット３，天井部４Ａ，カーテン５Ａにより、本発明の撮像領域である撮影空間３１が形成されている。
【００３０】
一方、上記筐体１には、その背面側に突出するように支持枠材４Ｃが取付けられ、その先端部にカーテン５Ｂが吊設されている（図２，図３では図示を省略している）。そして、上記筐体１の背面側とカーテン５Ｂとの間に、編集空間３２が形成されている。
【００３１】
上記筐体１の正面には、プレイの対価としての硬貨を投入する硬貨投入口１５が設けられ、この硬貨投入口１５の近傍に設けられた対価受領部としての硬貨検出部（図示せず）が設けられている。そして、上記硬貨検出部が投入された硬貨を検出することにより、撮影プレイが開始され、撮影プレイ後に撮影画像に対して編集プレイを行ない、編集された撮影画像がプリントされ提供されるようになっている。
【００３２】
上記筐体１の内部には、撮影空間３１内の使用者２を含む被写体２を撮像するカメラ６が設けられている。上記カメラ６の前面は透明板１０で覆われている。上記カメラ６前面の透明板１０の下側には、上記カメラ６で撮影された動画としての撮影画像すなわち撮影動画を表示する表示手段としてのライブモニタパネル２０が設けられている。上記ライブモニタパネル２０に表示された表示画像は利用者２が目視確認できるようになっている。
【００３３】
カメラ６からの撮像映像およびタイトルデモなどの操作上必要とする表示が、利用者の目から上下左右正しく見えるようにするため、ライブモニタパネル２０には適宜反転された画像が表示される。一般に、被写体２が右に動けば利用者２が目視確認できる撮影動画も右に動いた方が撮影の操作性がよくなるため、従来公知の反転回路等でカメラ６からの撮影動画を反転することが行なわれる。
【００３４】
上記ライブモニタパネル２０は、例えば液晶タブレット等が用いられ、図示していないが、モニタ部である表示手段，タッチパネル等からなる手指入力手段とが積層されて構成されている。そして、上記ライブモニタパネル２０の手指入力手段に手指を接触させて表示手段に表示される装飾画像を指定入力し、そのまま手指を移動させることにより移動入力を行ない得るようになっている。
【００３５】
上記透明板１０およびライブモニタパネル２０の周囲には、半透明の乳白板１１が設けられ、上記乳白板１１の背後には、撮影プレイ中において、上記カメラ６による撮像中に被写体２を常時照明する正面蛍光灯１７と、シャッタ操作によって静止画を撮影するときに発光させる正面ストロボ７とが設けられている。
【００３６】
上記筐体１の正面には、枠状の乳白板１１の下部に、撮影プレイの操作を行なう操作パネル１６Ａが設けられている。上記操作パネル１６Ａには、操作入力の選択入力や切換入力を行なう切換ボタン２２と、上記切換ボタン２２の選択入力や切換入力を決定する決定ボタン１４と、決定した入力を一旦キャンセルするキャンセルボタン１３が設けられている。
【００３７】
上記切換ボタン２２は切換入力手段として機能するもので、照明モードの選択入力や、フレームや背景の記憶画像の切換入力を可能とする。また、上記決定ボタン１４はシャッタ手段として機能するもので、この決定ボタン１４の操作によってカメラ６にシャッタ操作を行なわせ、被写体２の静止画像を撮影する。
【００３８】
また、筐体１から離れてポーズをとる場合に、撮影ごとに筐体１まで移動せずに操作できるように、筐体１以外の装置内部の壁面等に同じ機能を有する別の操作パネル１６Ｂが設けられている。この例では、撮影空間３１の右壁面に切換ボタン２２、決定ボタン１４、キャンセルボタン１３を有する操作パネル１６Ｂが設けられている。また、撮影空間３１の左壁面にも切換ボタン２２、決定ボタン１４、キャンセルボタン１３を有する操作パネルを設けることもできる。以下、特に区別の必要が無い場合は、操作パネル１６Ａ，１６Ｂを総称して操作パネル１６という。
【００３９】
また、上記筐体１の正面には、プレイ待ち状態の際のデモンストレーション音声や撮影プレイの際の案内音声等を出力するスピーカ１８Ａが設けられている。
【００４０】
上記バックスクリーンユニット３は、ある程度の光透過性を有するスクリーン２６を備えている。このスクリーン２６の被写体２とは反対側には、撮影プレイ中において、上記カメラ６による撮像中に被写体２を常時照明するバック蛍光灯２８と、シャッタ操作によって静止画を撮影するときに発光させるバックストロボ２７とが設けられている。上記スクリーン２６は、記憶画像である背景と被写体２の撮影映像との合成が行ないやすい色に着色されている。例えば、上記合成がクロマキー合成で行なわれる場合には、ブルースクリーン等が好適に用いられる。
【００４１】
一方、天井部４Ａには、シャッタ操作によって静止画を撮影するときに、被写体２を頭上から照明する天井ストロボ２４が設けられている。筐体１正面の正面ストロボ７，バックストロボ２７，天井ストロボ２４は、切換ボタン２２および決定ボタン１４によってどのストロボを発光させるかを選択したり、発光させるストロボの組み合わせや発光バランス等が異なる照明モードを選択したりしうるようになっている。
【００４２】
上記筐体１の正面側では、利用者２は、撮影空間３１に入って硬貨投入口１５に硬貨を投入して撮影プレイを行なう。
【００４３】
上記撮影プレイでは、カメラ６で撮影された撮影動画を上記ライブモニタパネル２０に含まれている表示手段に表示し、上述した手指入力手段で装飾画像を入力するようになっている。そして、装飾画像が入力された状態で、決定ボタン１４によるシャッタ操作により撮影動画が所定のシャッタタイミングで固定された静止画像が得られる。
【００４４】
上記撮影プレイが終了すると、被写体２は筐体１の背面側に移動して編集プレイを行なう。つぎに、編集プレイが行なわれる筐体１の背面側について説明する。
【００４５】
上記筐体１の背面側には、編集プレイにおける編集入力を行なう編集入力パネル２３が設けられている。上記編集入力パネル２３には、上記カメラ６による撮影プレイにおいて、所定のシャッタタイミングで撮影された静止画像を表示しその状態で編集入力を受け付ける編集受付手段としての編集用ディスプレイ８と、上記編集用ディスプレイ８に対して編集入力を行なう入力装置としてのタッチペン１２Ａ，１２Ｂとを備えている。上記タッチペンは、１つの編集用ディスプレイ８に対して右用タッチペン１２Ａと左用タッチペン１２Ｂの２本が備えられている。なお、複数の入力装置を備える場合、２本に限定するものではなく、３本以上でもよい。また、右用タッチペン１２Ａと左用タッチペン１２Ｂをそれぞれ複数本ずつ備えてもよい。
【００４６】
このとき、上記編集用ディスプレイ８に表示される合成画像は、静止画像と、上記ライブモニタパネル２０で入力された装飾画像が編集画像として記憶された画像とが合成手段で合成された合成画像である。なお、この合成手段は、筐体１内に配置された写真プリント提供装置全体を動作するコンピュータ装置２１に含められている。
【００４７】
上記編集用ディスプレイ８は、例えば液晶タブレット等が用いられ、図示していないが、モニタ部である編集表示手段，タッチパネル等からなる編集入力手段とが積層されて構成されている。そして、上記編集用ディスプレイ８の編集表示手段に表示される操作指示に従って、タッチペン１２Ａ，１２Ｂの先端を編集用ディスプレイ８の表面にある編集入力手段に軽く接触させることにより、各種の操作信号が入力され、画像や情報の表示とともにデータの入力を行ない得るようになっている。
【００４８】
また、上記タッチペン１２Ａ，１２Ｂの先端を、編集用ディスプレイ８の表面の編集入力手段に接触させて文字や図形等を描いて入力しうるようになっており、手描き入力された文字・図形等の画像データやスタンプ画像等の編集画像が、コンピュータ装置２１に設けられた合成手段により、カメラ６で撮影された被写体２の静止画像と合成され、その編集後画像が編集用ディスプレイ８の編集表示手段に表示される。上記の合成された編集画像は、筐体１内に設置されたプリンタ９で印刷出力されるようになっている。１８Ｂは編集プレイの案内音声等を出力するスピーカである。
【００４９】
上記筐体１の側面には、プリンタ９で印刷された写真プリントが排出される取出口１９が設けられ、編集プレイを終えた利用者２は、この取出口１９の前で印刷が終了するのを待って写真プリントの提供を受けるようになっている。
【００５０】
つぎに、本発明の要点、すなわち筐体内のプリンタの配置位置を変えて筐体に開口している写真プリントの取出口の位置を変換するための実施の形態について、以下のとおり説明する。
【００５１】
図４から図１９に示した実施の形態は、上記筐体１の一部に編集用筐体３３が一体化された形式のものであり、同筐体３３の上面は上記の編集入力パネル２３とされている。図４および図５に示したものは、編集用筐体３３の左側壁を構成する左側板３４に写真プリントの取出口１９が開口させてあり、同筐体３３の右側壁を構成する右側板３５は後述の蓋部材で閉塞されている。上記筐体１の前面側に配置されている透明板１０や乳白板１１とは反対側にあたる筐体３３の後面側は、後側板３６が配置されている。この後側板３６に開口部３７（図１５に最もわかりやすく図示してある）が後側板３６の高さ全域にわたって形成されている。
【００５２】
上記開口部３７を開閉する手段である扉３８Ａ，３８Ｂが、枢軸すなわちヒンジ３９を介して開口部３７の端縁に取付けられている。上記扉３８Ａ，３８Ｂは幅寸法が略同じとされたいわゆる観音開き構造の様式であり、これにより、両扉３８Ａ，３８Ｂの開き出し寸法が短くなるので、写真プリント提供装置が狭い店舗内に多数設置されていたり、入場者の多い遊戯施設等のなかであっても、周辺の人々にかける迷惑を最小化することができる。また、装置自体が比較的狭い間隔で並べられたレイアウトでも用紙交換やメンテナンスが容易に行なえる。なお、上記のように縦長の扉３８Ａ，３８Ｂが筐体３３の後面側に取付けられているので、後側板３６の幅は符号Ｌで示すように、狭い形状となっている。
【００５３】
また、４０は筐体３３の背板であり、筐体１の後部を画成する板材と共用化してもよい。また、筐体３３を構成する板材としては、ベニヤ板，合成樹脂板，鋼板等やこれらを組みあわせて用いるのが適当である。
【００５４】
筐体３３の中間高さの位置に、棚状の支持板４１が左側板３４と右側板３５の各内面にＬ字型断面の結合金具４２と結合ねじ４３によって強固に取付けられている。上記支持板４１の左右には後述のガイドユニットを収容する凹欠部４１Ａ，４１Ｂが形成されている。この凹欠部４１Ａ，４１Ｂの内側の支持板４１上に細長い支持部材４４Ａ，４４Ｂが平行となる位置関係で上記開口部３７の奥の方に向って、強固に結合してある。
【００５５】
上記支持部材４４Ａ，４４Ｂの内側にガイドレール４５Ａ，４５Ｂが互いに平行となる位置関係で固定されている。上記ガイドレール４５Ａ，４５Ｂの内側にスライド支持手段であるスライド台４６が結合してあり、その上にプリンタ９が載置してある。図６，図７，図１５，図１６等に示したプリンタ９は、その上から見た大きさ（図６参照）が、スライド台４６の大きさと略同じ大きさの大形のタイプであり、プリンタ９がスライド台４６上でずれるのを防止するために、位置決め機構４７がスライド台４６の四隅に固定してある。この位置決め機構４７は、Ｌ字型の低い部材を上記のように四隅に配置したものである。他に、プリンタ９の下面に取付けられている突起状の脚部材を、スライド台４６に形成した凹部にはめ込むようにしてもよい。なお、図示していないが、スライド台４６の下側から貫通させた蝶ねじをプリンタ９の底部にねじ込んで、プリンタ９とスライド台４６との確実な一体化を図っている。
【００５６】
上記位置決め機構４７の配置箇所は、プリンタ９をスライド台４６の一端側に位置決めする箇所と、他端側に位置決めする箇所の２箇所とされている。また、プリンタ９の大きさが図６に示すように、スライド台４６の大きさと略同じではなく、例えば、スライド台４６の左右長さの２／３程度の大きさのプリンタであっても、プリンタ９をスライド台４６の一端側または他端側のいずれかの側に寄せ付けることにより、プリンタの正しい位置が設定される。
【００５７】
上記のように位置決め機構４７を機能させることにより、スライド台４６上に載置されたプリンタ９の位置が容易に狂ったりすることがなく、プリンタ９の送出口５５が常に正しい位置に配置されて、筐体３３側の写真プリントの取出口１９との相対位置が正確に維持される。また、スライド台４６を引出して急に止めたときにプリンタ９が慣性で移動しそうになっても、プリンタ９は上記位置決め機構４７によって拘束されているので、位置ずれを起こすことがない。写真プリント提供装置がトラック等で輸送されているときにおいても、同様な効果がえられる。
【００５８】
また、小型のプリンタ９をスライド台４６上に載置するときには、図１７に示すように、プリンタ９の右配置用の４つの位置決め機構４７と左配置用の４つの位置決め機構４７を左右１組ずつ配置する。こうすることにより、小型のプリンタ９をスライド台４６のいずれかの側に寄せ付けて配置するときに、両２箇所における位置決めが確実になされる。特に、写真プリントの取出口１９を筐体３３の左右において変換するような場合には、筐体３３に開口させた取出口１９とプリンタ９の送出口５５とを接近させた状態で両者の相対位置が正確に設定できる。
【００５９】
なお、ガイドレール４５Ａ，４５Ｂやスライド台４６等は、略水平な状態で配置されている。
【００６０】
上記ガイドレール４５Ａ，４５Ｂの構造形式としては、いろいろなものがあるが、ここでは図１０および図１１に示したものが採用されている。なお、ガイドレール４５Ａ，４５Ｂは左右に配置されているが、ここでは、主に右側４５Ａについて説明する。支持部材４４Ａの内側にボルト・ナット４８を用いて固定レール４９Ａが結合され、この固定レール４９Ａの内側に中間レール４９Ｂが進退自在な状態ではめ込まれ、さらにこの中間レール４９Ｂの内側に進退自在な状態で取付けレール４９Ｃがはめ込まれ、この取付けレール４９Ｃにスライド台４６の端部がボルト５０で固定されている。固定レール４９Ａと中間レール４９Ｂとの間および中間レール４９Ｂと取付けレール４９Ｃの間には、各レール相互間の進退動作を滑らかにするために、転動用の鋼球５１が介在してある。なお、上記鋼球５１を所定の箇所に保持するために各レール４９Ａ，４９Ｂ，４９Ｃの端縁部に図１０に示されているような湾曲部が形成されている。
【００６１】
図１１（Ａ）は、ガイドレール４５Ａを単体の状態で示した側面図であり、同図（Ｂ）は、ガイドレール４５Ａの伸長状態を示す側面図であり、プリンタ９の引出し長さが最大とされた状態である。この状態において、中間レール４９Ｂは固定レール４９Ａの略半分の長さにわたって差し込まれ、また、取付けレール４９Ｃは中間レール４９Ｂの略半分の長さにわたって差し込まれている。このような差し込み状態により、引出されたプリンタ９の荷重が支持されるようになっている。
【００６２】
上記の差し込み長さを所定の長さに設定するためには、中間レール４９Ｂや取付けレール４９Ｃの引出し長さを所定長さに規制する必要がある。図１２は、このために採用されるストッパ機構の一例である。すなわち、固定レール４９Ａの先端部には係止片５２Ａが形成され、他方、中間レール４９Ｂにはストッパ片５２Ｂが固定され、両者の位置関係は図１２に示すように、中間レール４９Ｂが引出されてストッパ片５２Ｂが係止片５２Ａの衝合したところで、中間レール４９Ｂの引出し長さが規制される。このようなストッパ機構は、図示していないが、中間レール４９Ｂと取付けレール４９Ｃとの間にも同様にして配置されている。
【００６３】
上記のストッパ機構により、スライド台４６の引出し長さを所定長さに規制することが確実に行なえて、適正なプリンタ９の引出し長さを確保することができる。また、ガイドレール４５Ａ，４５Ｂが２重あるいは３重の入れ子式（テレスコピック）構造となっている場合には、上記のストッパ機能を果たさせることにより、２重あるいは３重構造のガイドレール４５Ａ，４５Ｂの重複長さを適正な長さに設定することができて、スライド台４６の支持に適した支持剛性の高いガイドレール４５Ａ，４５Ｂの有効長さを確保することができる。
【００６４】
また、引出されたプリンタ９に種々な保守整備等を行なっているときに、わずかな力でプリンタ９が格納方向に移動しないようにする必要がある。そのためにディテント機構が採用されている。図１３は、同機構を板ばね式の構造とした場合であり、細長い短冊状の板ばね５３Ａをリベット５３Ｂで取付けレール４９Ｃに固定し、板ばね５３Ａの先端部に形成した湾曲部５３Ｃが中間レール４９Ｂの先端に引っかかるようになっている。
【００６５】
この状態で取付けレール４９Ｃに対して同図右方への力が作用しても、湾曲部５３Ｃが中間レール４９Ｂの先端に係合しているので、わずかな力では取付けレール４９Ｃが押し戻されることがない。押し戻すときには、所定のやや強い力でプリンタ９を押しこむと、今度は、湾曲部５３Ｃに中間レール４９Ｂの端部から強い力が作用するので、板ばね５３Ａが撓んで湾曲部５３Ｃが中間レール４９Ｂと取付けレール４９Ｃの間に入りこんで、取付けレール４９Ｃすなわちプリンタ９の押し戻しがなされる。なお、同様なディテント機構は、図示していないが、中間レール４９Ｂと固定レール４９Ａとの間にも配置されている。
【００６６】
上記のディテント機構により、引出されたプリンタ９に保守整備等を行なっている際に、格納方向の力がガイドレール４５Ａ，４５Ｂに作用しても、上記節度抵抗によりプリンタ９が容易に移動することがなく、保守整備等の作業が行ないやすくなる。作業終了後は所定の力でプリンタ９を押し戻すことにより、簡単に筐体３３内に格納することができる。
【００６７】
上記のディテント機構は、図１４に示した構造で実現することもできる。これは、中間レール４９Ｂに設けた凹部５４Ａ内に鋼球５４Ｂをコイルスプリング５４Ｃで押しつけたものである。なお、５４Ｄはコイルスプリング５４Ｃを収容するソケットであり、取付けレール４９Ｃに固定されている。鋼球５４Ｂが凹部５４Ａにはまり込んでいるときには、プリンタ９がわずかな力では移動しない状態であり、所定の強さの力でプリンタ９を押し戻すと、コイルスプリング５４Ｃが圧縮されて取付けレール４９Ｃの復帰が可能となる。
【００６８】
上記ガイドレール４５Ａ，４５Ｂは、支持部材４４Ａ，４４Ｂに取付けられているので、上記支持板４１に対しては間接的に取付けられていることになる。他方、支持板４１の上に直接ガイドレール４５Ａ，４５Ｂを固定し、その上にスライド台４６を結合することもできる。この場合が上記支持板４１に対して直接的にガイドレール４５Ａ，４５Ｂが取付けられていることになる。このような直接的な場合は、部品点数が減少でき、しかも強度的にも有利なものとなる。
【００６９】
上記のガイドレール４５Ａ，４５Ｂやストッパ機構，ディテント機構等によりプリンタ９を載置したスライド台４６が開口部３７をへて筐体３３外に引出される。この引出し長さは、上記ガイドレール４５Ａ，４５Ｂの寸法諸元によって決定されるのであり、本発明においては、プリンタ９の略全体が引出せる長さとされている。
【００７０】
したがって、プリンタ９の略全体が筐体３３外に引出されて露出した状態になっているので、プリンタ９をスライド台４６から持ち上げて左右の向きを変換するような作業が、筐体３３と干渉することなく容易に行なえる。さらに、プリンタ９の外回り全体のどの箇所に対しても容易に接近して保守整備等が行なえるので、プリンタ用紙の交換等がきわめて簡単に実施できる。また、プリンタ９をスライド台４６の上に安定した状態で載置することができ、プリンタ９を筐体３３から引出してプリンタ用紙の交換やプリンタ９の向きを変換するようなときの作業が行ないやすくなる。
【００７１】
また、図１５はスライド台４６が引出された状態を示す平面図であり、スライド台４６の進退長さすなわちスライド台４６が引出される長さは、スライド台４６の幅寸法よりも短く設定されている。
【００７２】
上記構成により、引出されたスライド台４６の間口が広い状態であるから、プリンタ９の左右端部を両手でもって簡単に着脱したり、プリンタ９の送出口（５５）の位置を反転させることが容易に行なえる。また、プリンタ９をスライド台４６の左右いずれかの方に寄せ付ける場合も簡単な作業で行なうことができる。したがって、筐体３３の取出口１９の向きを左右方向等において反転させるような場合に、簡単な入替え作業で取出口１９の左右選択が容易に行なえ、写真プリント提供装置の設置場所に最適な取出口１９の位置選定ができる。さらに、スライド台４６を引出したときの筐体３３外への突出長さが可及的に短くなるので、入場者の多い遊戯施設等においては近くにいる顧客に迷惑をかけることなく、種々な保守整備作業が良好な作業性のもとで行なえる。
【００７３】
図１８に示すように、プリンタ９から写真プリントを送出する送出口５５が、プリンタ９の横側部に開口させてある。ここから出てきた写真プリントを筐体３３に開口している取出口１９へ導くために、ガイドユニット５６が設けられている。上記ガイドユニット５６は写真プリントが通過する空洞状の通路５６Ａが設けられ、この通路５６Ａへの挿入口５６Ｂがガイドユニット５６（通路５６Ａ）の上部に設けられていて、これが上記送出口５５に接近した状態で対面している。なお、取出口１９は通路５６Ａの下部に配置されている。
【００７４】
図１８および図１９に示すように、スライド台４６の一端側と他端側に位置する筐体３３の壁部材、すなわち左側板３４および右側板３５に、それぞれ長方形の窓穴５７Ａ，５７Ｂが開けられ、各窓穴５７Ａ，５７Ｂは蓋部材５８Ａ，５８Ｂで閉塞されている。これらの蓋部材５８Ａ，５８Ｂのうち一方の蓋部材、例えば５８Ａには上記ガイドユニット５６が一体的に設けられている。そして、蓋部材５８Ａで窓穴５７Ａを閉塞すると、図１８に示すように、上記挿入口５６Ｂが送出口５５に合致した状態となる。
【００７５】
上記窓穴５７Ａ，５７Ｂの内縁の下部に挿入穴５９Ａ，５９Ｂがあけられ、ここに蓋部材５８Ａ，５８Ｂの下縁部に設けた挿入片６０Ａ，６０Ｂが挿入されるようになっている。そして、蓋部材５８Ａの上部には、キー６１Ａを挿入して係合片６１Ｂを回動させるシリンダ錠６１Ｃが取付けられている。図１８は、係合片６１Ｂが右側板３５の裏面に係合している状態を示している。ここで、キー６１Ａを回すと、係合片６１Ｂが図１８の紙面に垂直な面内で回動して、上記係合が解除されて蓋部材５８Ａが開けられるようになる。蓋部材５８Ａは、挿入片６０Ａを中心にして時計方向に回動しながら開かれる。なお、挿入片６０Ａの挿入状態をより安定させるために、蓋部材５８Ａの下部に設けた弾性爪６２を右側板３５の内面に押しつけるようになっている。蓋部材５８Ｂの上部は、ねじ６３を左側板３４にねじ込んで固定が図られている。
【００７６】
上記蓋部材５８Ｂは、上記ガイドユニット５６が取付けられない側の窓穴５７Ｂに、着脱可能な状態で取付けられているもので、ガイドユニット５６が取付けられない一方の窓穴５７Ｂがいわゆる捨て穴となり、この捨て穴を蓋部材５８Ｂで閉塞している。この蓋部材５８Ｂを外してガイドユニット５６を取付けることにより、筐体３３側の取出口１９を所要の側に配置することができる。また、取出口１９を入替えたときには、開口状態の窓穴５７Ａまたは５７Ｂを蓋部材５８Ａまたは５８Ｂで閉塞するので、筐体３３内に不用意に手を入れたりすることが防止でき、外観を良好にする点でも好適である。
【００７７】
また、プリンタ９の送出口５５が上記スライド台４６の一端側または他端側のいずれの側に向けられていても、ガイドユニット５６を上記送出口５５に一致させて、使用者２が、写真プリントをいずれの側の取出口１９からでも受領することができる。したがって、プリンタ９の送出口５５の向きを左右方向において反転させ、それに合わせて筐体３３側の取出口１９の左右方向の位置を自由に選定することができて、写真プリント提供装置の設置場所に最適な取出口１９の位置選定ができる。
【００７８】
上記ガイドユニット５６が取付けられた側は、ガイドユニット５６が筐体３３の内側に突出するので、図９に示すように、それを避けるために支持板４１に上記凹欠部４１Ａ，４１Ｂが形成されている。したがって、ガイドユニット５６の上下方向における中央付近の部分がちょうど凹欠部４１Ａまたは４１Ｂ内にはまり込むことになる。
【００７９】
したがって、ガイドレール４５Ａ，４５Ｂを支持する支持板４１が存在していても、プリンタ９の送出口５５から筐体３３側の取出口１９にいたる写真プリントのガイドユニット５６が上記凹欠部４１Ａまたは４１Ｂに収容され、ガイドユニット５６の配置がコンパクトな状態でまとまる。
【００８０】
上記支持板４１には四角い開口部６４があけられている。支持板４１の下側には棚状の下位支持板６５が、支持板４１に吊下げられた状態で取り付けられ（図７参照）、この下位支持板６５の上に写真プリント提供装置を動作させる機器類の１つであるコンピュータ装置２１が載置されている。なお、６６Ａ，６６Ｂは吊下げ部材であり、その上部は支持板４１の下面に結合され、下部には下位支持板６５が固定されている。下位支持板６５と支持板４１との上下方向の間隔は十分に確保されていて、コンピュータ装置２１とプリンタ９を接続する結線６７がゆとりをもって配置されるようになっている。このようなゆとりのある空間が、結線類の移動許容空間６８である。なお、結線６７の長さは、プリンタ９が進退しても無理な力がかからないように余裕をもたせてある。
【００８１】
上記構成により、プリンタ９を進退させて出し入れするのに伴って、引出されたり押し戻されたりする、いわゆる伸縮する結線６７が、上記移動許容空間６８において自由に移動することができるので、結線６７に無理な引っ張りや折り曲げ等が生じないので、結線６７を傷めることがない。また、このような結線６７の挙動において、開口部６４が結線６７の自由な動きを可能としている。
【００８２】
上記の移動許容空間６８は、支持板４１と下位支持板６５との間に確保されているが、図１６に示した場合は、支持板４１のない場合である。その代わり支持部材４４Ａ，４４Ｂは、左側板３４と右側板３５に固定したアーム部材６９Ａ，６９Ｂに結合され、ガイドレール４５Ａ，４５Ｂやスライド台４６等は前述の場合と同様の構成とされている。したがって、この図１６に示された場合は、移動許容空間６８がスライド台４６と下位支持板６５との間に形成されていることになる。なお、この場合の下位支持板６５は、左側板３４と右側板３５の内面に固定されている。
【００８３】
また、コンピュータ装置２１の後面部または、図示していないが、コンピュータ装置２１の後方（図１６では手前側）に起立させて配置したパネルに復帰スイッチ７０が配置されている。これは上記扉３８Ａ，３８Ｂを開いて手近な箇所に配置されているので、操作が行ないやすいという利点がある。上記復帰スイッチ７０は、押しこみボタン式でも上下または左右方向につまみを動かす方式のいずれであってもよい。プリンタ９を引出して何等かの保守整備等を行なうときに、使用者２がちょうどプリンタ９を動作させている場合がある。そのようなときには、保守整備等のために印刷動作が中断されることになるので、同スイッチ７０を操作することにより、中断されたところから引続いて印刷が再開されるのである。
【００８４】
上記下位支持板６５の下側に空間７１が設けられ、ここに各種の機器や整備用の専用器具等を格納することができる。図７および図１６の場合には、コンピュータ装置２１の機能設定等を行なうためのパーソナルコンピュータ７２が配置されている。
【００８５】
上記実施の形態においては、上述のように、スライド台４６の進退方向と、筐体３３に開口している写真プリントの取出口１９の開口方向とが異なった方向に設定されている。したがって、上記プリンタ９は、スライド台４６によって、上記取出口１９の開口方向と異なった方向に引出されるので、筐体３３側の取出口１９とは何等干渉性のない箇所にプリンタ９が引出される。これによって、筐体３３に開口している写真プリントの取出口１９を例えば筐体３３の左右方向において入換えるようなときには、引出されたプリンタ９の向きをその場で左右に逆転させたり、この逆転と同時にプリンタ９を筐体３３の取出口１９の方へ寄せ付けたりすることが１回の作業動作で完了する。このような簡素化された作業により、プリンタ９自体に開口している送出口５５の向きを、例えば左右方向において入換えて筐体３３側の取出口１９に対応させ、筐体３３の所要の側に取出口１９を選定することができるのである。
【００８６】
上記のような取出口１９の入換えは、遊戯施設等の広さや顧客の移動状態等の事情に応じて行なわれるのであるが、入場者が大勢いるようなときには、上記のような作業により少ない作業スペースで迅速に作業が行なえて、顧客への迷惑も最小限にとどめることができる。また、プリンタ９は取出口１９とは異なった方向に引出されるので、取出口１９の前で写真プリントが出てくるのを待っている使用者２に、煩わしい退避をしてもらわなくてもよく、使用者２の不快感も軽減される。
【００８７】
上述の実施の形態において、蓋部材５８Ａ，５８Ｂが挿入片６０Ａ，６０Ｂやシリンダ錠６１Ｃやねじ６３のような簡単に蓋部材を着脱できる構造とされているので、取出口１９の左右変換等の作業が迅速に進行する。
【００８８】
上記プリンタ９の向きを変える手段として、回転方式を採用することもできる。例えば、スライド台４６の上にターンテーブルを配置しその上にプリンタ９を載置して、プリンタ９の向きを変えるのである。あるいは、プリンタ９の底部中央に枢軸を設け、この枢軸をスライド台４６の中央部に回転可能な状態で支持し、枢軸を中心にしてプリンタ９の向きを変えるのである。
【００８９】
また、扉３８Ａ，３８Ｂの高さが、編集用筐体３３の後面高さの全域に及ぶ高さとしてあるので、扉３８Ａ，３８Ｂを開くと筐体３３の全体が開口するので、プリンタ９の向き変換だけにとどまらず、種々な箇所の保守整備等にとって便利である。
【００９０】
さらに、図６および図１５に示すように、後側板３６の幅を寸法Ｌのように細長い状態にしておくことにより、ガイドユニット５６等を格納できる空間が左右において確保しやすくなる。
【００９１】
図２０および図２１は、本発明の写真プリント提供装置の第２の実施の形態を示す。
【００９２】
この実施の形態は、編集用筐体３３の上部に傾斜した２つの編集入力パネル２３が設けられ、片側の側面に扉３８Ａ，３８Ｂが設置され、横側面の一方に取出口１９を有する蓋部材５８Ａが、他方に取出口１９のない蓋部材５８Ｂが配置されている場合である。なお、図２１に２点鎖線で示すように、扉３８Ａ，３８Ｂを反対側の側面にも配置して、スライド台４６を両側に引出せるようにすることができる。それ以外は、上記実施の形態と同様であり、同様の部分には同じ符号を付している。
【００９３】
上記構成により、複数の使用者２が編集に携わる筐体３３においては、周辺の遊戯用具等との位置関係等により、取出口１９の開口箇所を変換する頻度が高くなりがちであるが、上述のような変換作業で簡単に変換することができる。また、スライド台４６を図２１の左右どちらにも引出せるので、入場者が大勢いても空いている側で入換え作業が可能である。それ以外は、上記実施の形態と同様の作用効果を奏する。
【００９４】
図２２および図２３は、本発明の写真プリント提供装置の第３の実施の形態を示す。
【００９５】
この実施の形態は、カメラ６が配置されている筐体１に本発明の構成を適用した場合である。筐体１の背面側に扉３８Ａ，３８Ｂを装着し、筐体１の両横側面に蓋部材５８Ａおよび５８Ｂを配置したものである。そして、編集用ディスプレイ８は筐体１の背面部に起立した姿勢で取付けられ、その近くにタッチペン１２が配置されている。それ以外は、上記各実施の形態と同様であり、同様の部分には同じ符号を付している。
【００９６】
上記構成により、背面側が起立したスリムな筐体１に簡単に取出口１９を変換できる構成が組みこまれているので、コンパクトな筐体１にまとめ上げることが可能となる。それ以外は、上記各実施の形態と同様の作用効果を奏する。
【００９７】
上述の各図に示した取出口１９の変換のための構成を、写真印刷装置に適用したものが、写真印刷装置としての実施の形態である。例えば、デジタルカメラからの画像データを投入することによって、写真プリントを出力する装置の場合である。
【００９８】
上述の構成を含んだ上記のような写真印刷装置とすることにより、上記プリンタ９はスライド台４６に支持され、上記スライド台４６の進退方向は上記取出口１９の開口方向と異なる方向に設定されている。このため、上記プリンタ９は、スライド台４６によって、上記取出口１９の開口方向と異なった方向に引出されるので、筐体３３側の取出口１９とは何等干渉性のない箇所にプリンタ９が引出される。これによって、筐体３３に開口している写真プリントの取出口１９を例えば筐体３３の左右方向において入換えるようなときには、引出されたプリンタ９の向きをその場で左右に逆転させたり、この逆転と同時にプリンタ９を筐体の取出口１９の方へ寄せ付けたりすることが１回の作業動作で完了する。このような簡素化された作業により、プリンタ９自体に開口している送出口５５の向きを、例えば左右方向において入換えて筐体３３側の取出口１９に対応させ、筐体３３の所要の側に取出口１９を選定することができるのである。
【００９９】
上記のような取出口１９の入換えは、遊戯施設等の広さや顧客の移動状態等の事情に応じて行なわれるのであるが、入場者が大勢いるようなときには、上記のような作業により少ない作業スペースで迅速に作業が行なえて、顧客への迷惑も最小限にとどめることができる。また、プリンタ９は取出口１９とは異なった方向に引出されるので、取出口１９の前で写真プリントが出てくるのを待っている使用者に、煩わしい退避をしてもらわなくてもよく、使用者の不快感も軽減される。さらに、画像データを入力して写真印刷を行なうような職場等においても、上記遊戯施設等と同様な事情で筐体３３側の取出口１９を入換える必要が発生するのであるが、上記のような簡単な作業により取出口１９の選定ができる。
【０１００】
上記スライド台４６は、写真印刷装置内に取付けたガイドレール４５Ａ，４５Ｂにより進退可能な状態で支持されているとともに上記プリンタ９の略全体が筐体３３外に引出せる進退長さとされている。したがって、上記ガイドレール４５Ａ，４５Ｂによってスライド台４６が簡単に引出せるとともに、プリンタ９の略全体が筐体３３外に引出されて露出した状態になっているので、プリンタ９をスライド台４６から持ち上げて左右の向きを変換するような作業が、筐体３３と干渉することなく容易に行なえる。さらに、プリンタ９の外回り全体のどの箇所に対しても容易に接近して保守整備等が行なえるので、プリンタ用紙の交換等がきわめて簡単に実施できる。また、上記プリンタ９をスライド台４６の上に安定した状態で載置することができ、プリンタ９を筐体３３から引出してプリンタ用紙の交換やプリンタ９の向きを変換するようなときの作業が行ないやすくなる。
【０１０１】
図２４〜図２６は、本発明のプリント用紙ユニットの実施の形態を示す。
【０１０２】
以下に説明する各プリント用紙ユニットは、図１〜図２３等に記載された写真プリント提供装置に供給され、プリンタ９で用いられて写真プリントを生成するためのプリント用紙ユニットである。
【０１０３】
図２４に示すプリント用紙ユニットは、ＩＣチップやＩＣカード等の記憶手段９２と、写真プリント提供装置または写真印刷装置のプリンタ９で使用されるプリント用紙９０とがセットとして写真プリント提供装置または写真印刷装置に供給されるものである。この例では、上記プリント用紙９０としてロール状のものを示している。上記記憶手段９２には、この記憶手段９２とセット供給されるプリント用紙９０における、供給対象である装置で印刷出力可能な写真プリントの枚数すなわちプリント供給可能枚数が記録されている。一方、写真プリント提供装置には、上記記憶手段９２に記憶された情報を読み取る読取手段９１が設けられている。
【０１０４】
そして、上記プリント用紙ユニットを写真プリント提供装置または写真印刷装置に使用する場合には、記憶手段９２を読取手段９１にセットするとともに、プリント用紙９０をプリンタ９に装填する。そして、上記読取手段９１で記憶手段９２のプリント供給可能枚数が読み取られ、プリンタ９ではセットで供給されたプリント用紙９０に印刷が行なわれて写真プリントの供給が行なわれるのであるが、このとき、上記読取手段９１でセット供給された記憶手段９２から読み取られたプリント供給可能枚数だけ印刷を行なって写真プリントを供給し、その後は次の記憶手段９２とプリント用紙９０が供給されるまではプリントの供給を停止するようになっている。
【０１０５】
上述のような動作を実現するためのシステム構成としては、図示していないが、読取手段９１からの読取データを、上記コンピュータ装置に設けた出力枚数制限部に供給し、出力枚数制限部では読み取られたプリント供給可能枚数だけ写真プリントを印刷すると、その後は次の記憶手段９２が供給されるまでプリントの出力を制限することにより行なわれる。なお、プリント供給可能枚数の残り枚数が所定枚数に達したら、つぎのプリント用紙を準備するようアラームを発することも可能である。こうすることにより、顧客を待たせることなく回転率の高い写真撮影装置の運営ができる。上記読取手段９１がプリンタ９内部に備わる場合は、プリンタ９内部で検出された情報を上記コンピュータ装置に送信し、制御し、プリンタ９外部に備わる場合は、コンピュータ装置で読取られ制御される。
【０１０６】
図２５に示すプリント用紙ユニットは、ＩＣチップやＩＣカード等の記憶手段９２を備えておらず、写真プリント提供装置または写真印刷装置のプリンタ９で使用されるプリント用紙９０が写真プリント提供装置または写真印刷装置に供給されるものである。この例では、上記プリント用紙９０としてロール状のものを示している。上記プリント用紙９０には、当該プリント用紙９０の真偽を識別する識別情報がバーコード等により付されている（図示せず）。そして、写真プリント提供装置または写真印刷装置には、プリンタ９に装填されたプリント用紙９０の識別情報を読み取る読取手段９１が設けられている。
【０１０７】
そして、上記プリント用紙ユニットを写真プリント提供装置または写真印刷装置に使用する場合には、プリント用紙９０をプリンタ９に装填する。そして、上記読取手段９１でプリント用紙９０の識別情報が読み取られ、その識別情報を、上記コンピュータ装置に設けた判定手段に供給し、判定手段では読み取られた識別情報が正しい場合にだけ写真プリントを印刷し、真正なものでない場合にはプリントの出力を行なわないようになっている。
【０１０８】
図２６に示すプリント用紙ユニットは、写真プリント提供装置または写真印刷装置のプリンタ９で使用されるプリント用紙９０と、上記プリント用紙９０に画像をプリントするインクリボン等の記録材料９３がセットの状態となって写真プリント提供装置または写真印刷装置に供給されるものである。この例では、上記プリント用紙９０としてロール状のものを示している。図において９４は印刷ヘッドである。上記記録材料９３には、当該記録材料９３の真偽を識別する識別情報がバーコード等により付されている（図示せず）。そして、写真プリント提供装置または写真印刷装置には、プリンタ９に装填された記録材料９３の識別情報を読み取る読取手段９１が設けられている。
【０１０９】
そして、上記プリント用紙ユニットを写真プリント提供装置または写真印刷装置に使用する場合には、プリント用紙９０および記録材料９３をプリンタ９に装填する。そして、上記読取手段９１で記録材料９３の識別情報が読み取られ、その識別情報を、上記コンピュータ装置に設けた判定手段に供給し、判定手段では読み取られた識別情報が正しい場合にだけ写真プリントを印刷し、真正なものでない場合にはプリントの出力を行なわないようになっている。
【０１１０】
この例において、バーコード等の識別情報を記録材料９３ではなくプリント用紙９０に付し、読取手段９１は、プリンタ９に装填されたプリント用紙９０の識別情報を読み取るようにしてもよい。また、図示した例は、プリンタ９が、記録材料としてインクリボンを使用する昇華型プリンタ等の例であるが、記録材料としてカートリッジ式のインクを使用したインクジェット方式等のプリンタに適用することもできる。
【０１１１】
これらのプリント用紙ユニットによれば、上記写真プリント提供装置または写真印刷装置固有の性能やよりすぐれた写真プリントの仕上り品質等にとって最適のプリント用紙９０であるか否かが、識別情報等によって判別することができるので、識別情報等の読み取り結果に応じて写真プリント提供装置または写真印刷装置を動作させないようにすることができ、利用者に対してよりすぐれた品質の写真プリントの提供ができる。また、用紙等の偽造品が市場に流出することを防ぐことができる。
【０１１２】
なお、上記各実施の形態において、プリンタ９としては、昇華型プリンタ，インクジェットプリンタ，レーザプリンタ，熱転写型プリンタ，溶融型プリンタ，サーマルプリンタ，印画紙プリンタ，インスタントフィルムプリンタ等、各種のタイプのプリンタを適用することができ、特に限定するものではない。また、上記プリンタ９を複数台設けて利用者が印刷したい好みのプリンタ９を選択できるようにしてもよい。
【０１１３】
【発明の効果】
以上のように、本発明の写真プリント提供装置によれば、上記プリンタは、スライド支持手段によって、上記取出口の開口方向と異なった方向に引出されるので、筐体側の取出口とは何等干渉性のない箇所にプリンタが引出される。これによって、筐体に開口している写真プリントの取出口を例えば筐体の左右方向において入換えるようなときには、引出されたプリンタの向きをその場で左右に逆転させたり、この逆転と同時にプリンタを筐体の取出口の方へ寄せ付けたりすることが１回の作業動作で完了する。このような簡素化された作業により、プリンタ自体に開口している取出口の向きを、例えば左右方向において入換えて筐体側の取出口に対応させ、筐体の所要の側に取出口を選定することができるのである。
【０１１４】
上記のような取出口の入換えは、遊戯施設等の広さや顧客の移動状態等の事情に応じて行なわれるのであるが、入場者が大勢いるようなときには、上記のような作業により少ない作業スペースで迅速に作業が行なえて、顧客への迷惑も最小限にとどめることができる。また、取出口はプリンタが引出される方向と異なる方向にあるので、用紙交換等の際に取出口の前で写真プリントが出てくるのを待っている使用者に、煩わしい退避をしてもらわなくてもよく、使用者の不快感も軽減される。
【０１１５】
また、本発明の写真印刷装置によれば、上記のような写真印刷装置とすることにより、上記プリンタはスライド支持手段に支持され、上記スライド支持手段の進退方向は上記取出口の開口方向と異なる方向に設定されている。このため、上記プリンタは、スライド支持手段によって、上記取出口の開口方向と異なった方向に引出されるので、筐体側の取出口とは何等干渉性のない箇所にプリンタが引出される。これによって、筐体に開口している写真プリントの取出口を例えば筐体の左右方向において入換えるようなときには、引出されたプリンタの向きをその場で左右に逆転させたり、この逆転と同時にプリンタを筐体の取出口の方へ寄せ付けたりすることが１回の作業動作で完了する。このような簡素化された作業により、プリンタ自体に開口している送出口の向きを、例えば左右方向において入換えて筐体側の取出口に対応させ、筐体の所要の側に取出口を選定することができるのである。
【０１１６】
上記のような取出口の入換えは、遊戯施設等の広さや顧客の移動状態等の事情に応じて行なわれるのであるが、入場者が大勢いるようなときには、上記のような作業により少ない作業スペースで迅速に作業が行なえて、顧客への迷惑も最小限にとどめることができる。また、プリンタは取出口とは異なった方向に引出されるので、取出口の前で写真プリントが出てくるのを待っている使用者に、煩わしい退避をしてもらわなくてもよく、使用者の不快感も軽減される。さらに、画像データを入力して写真印刷を行なうような職場等においても、上記遊戯施設等と同様な事情で筐体側の取出口を入換える必要が発生するのであるが、上記のような簡単な作業により取出口の選定ができる。
【図面の簡単な説明】
【図１】写真プリント提供装置の一例を示す断面図である。
【図２】上記装置の筐体を示す斜視図である。
【図３】上記写真プリント提供装置全体を示す斜視図である。
【図４】本発明の写真プリント提供装置の一実施の形態を示す斜視図である。
【図５】上記写真プリント提供装置を反対側から見て示した斜視図である。
【図６】上記写真プリント提供装置の断面図である。
【図７】上記写真プリント提供装置の断面図である。
【図８】支持板の固定構造部を示す断面図である。
【図９】スライド台近辺の構造を示す斜視図である。
【図１０】ガイドレールの断面図である。
【図１１】ガイドレール単体と引延ばされた状態を示す側面図である。
【図１２】ストッパ機構の部分を示す断面図である。
【図１３】ディテント機構を示す断面図である。
【図１４】他のディテント機構を示す断面図である。
【図１５】スライド台が引出された状態を示す断面図である。
【図１６】移動許容空間の他の形成例を示す断面図である。
【図１７】他のスライド台の例を示す平面図である。
【図１８】ガイドユニットと蓋部材の断面図である。
【図１９】蓋部材の断面図である。
【図２０】本発明の写真プリント提供装置の第２の実施の形態を示す斜視図である。
【図２１】図２０に示したものの平面図である。
【図２２】本発明の写真プリント提供装置の第３の実施の形態を示す側面図である。
【図２３】図２２のものの後面図である。
【図２４】本発明のプリント用紙ユニットの実施の形態を示す側面図である。
【図２５】本発明のプリント用紙ユニットの他の実施の形態を示す側面図である。
【図２６】本発明のプリント用紙ユニットのさらに他の実施の形態を示す側面図である。
【符号の説明】
Ｌ      後側板の幅寸法
１      筐体
２      被写体，使用者，利用者
３      バックスクリーンユニット
４Ａ    天井部
４Ｂ    支持枠材
４Ｃ    支持枠材
５Ａ    カーテン
５Ｂ    カーテン
６      カメラ
７      正面ストロボ
８      編集用ディスプレイ
９      プリンタ
１０      透明板
１１      乳白板
１２      タッチペン
１２Ａ    右用タッチペン
１２Ｂ    左用タッチペン
１３      キャンセルボタン
１４      決定ボタン
１５      硬貨投入口
１６Ａ    操作パネル
１６Ｂ    操作パネル
１７      正面蛍光灯
１８Ａ    スピーカ
１８Ｂ    スピーカ
１９      取出口
２０      ライブモニタパネル
２１      コンピュータ装置
２２      切換ボタン
２３      編集入力パネル
２４      天井ストロボ
２６      スクリーン
２７      バックストロボ
２８      バック蛍光灯
３１      撮影空間
３２      編集空間
３３      編集用筐体
３４      左側板
３５      右側板
３６      後側板
３７      開口部
３８Ａ    扉
３８Ｂ    扉
３９      ヒンジ
４０      背板
４１      支持板
４１Ａ    凹欠部
４１Ｂ    凹欠部
４２      結合金具
４３      結合ねじ
４４Ａ    支持部材
４４Ｂ    支持部材
４５Ａ    ガイドレール
４５Ｂ    ガイドレール
４６      スライド台
４７      位置決め機構
４８      ボルト・ナット
４９Ａ    固定レール
４９Ｂ    中間レール
４９Ｃ    取付けレール
５０      ボルト
５１      鋼球
５２Ａ    係止片
５２Ｂ    ストッパ片
５３Ａ    板ばね
５３Ｂ    リベット
５３Ｃ    湾曲部
５４Ａ    凹部
５４Ｂ    鋼球
５４Ｃ    コイルスプリング
５４Ｄ    ソケット
５５      送出口
５６      ガイドユニット
５６Ａ    通路
５６Ｂ    挿入口
５７Ａ    窓穴
５７Ｂ    窓穴
５８Ａ    蓋部材
５８Ｂ    蓋部材
５９Ａ    挿入穴
５９Ｂ    挿入穴
６０Ａ    挿入片
６０Ｂ    挿入片
６１Ａ    キー
６１Ｂ    係合片
６１Ｃ    シリンダ錠
６２      弾性爪
６３      ねじ
６４      開口部
６５      下位支持板
６６Ａ    吊下げ部材
６６Ｂ    吊下げ部材
６７      結線
６８      移動許容空間
６９Ａ    アーム部材
６９Ｂ    アーム部材
７０      復帰スイッチ
７１      空間
７２      パーソナルコンピュータ
９０      プリント用紙
９１      読取手段
９２      記憶手段
９３      インクリボン，記録材料
９４      印刷ヘッド
【図１】
2004272063.tif 000003
【図２】
2004272063.tif 000004
【図３】
2004272063.tif 000005
【図４】
2004272063.tif 000006
【図５】
2004272063.tif 000007
【図６】
2004272063.tif 000008
【図７】
2004272063.tif 000009
【図８】
2004272063.tif 000010
【図９】
2004272063.tif 000011
【図１０】
2004272063.tif 000012
【図１１】
2004272063.tif 000013
【図１２】
2004272063.tif 000014
【図１３】
2004272063.tif 000015
【図１４】
2004272063.tif 000016
【図１５】
2004272063.tif 000017
【図１６】
2004272063.tif 000018
【図１７】
2004272063.tif 000019
【図１８】
2004272063.tif 000020
【図１９】
2004272063.tif 000021
【図２０】
2004272063.tif 000022
【図２１】
2004272063.tif 000023
【図２２】
2004272063.tif 000024
【図２３】
2004272063.tif 000025
【図２４】
2004272063.tif 000026
【図２５】
2004272063.tif 000027
【図２６】
2004272063.tif 000028